(57)【要約】オーバーヘッド伝送損失を減らすために、局所型伝送および分散型伝送の多重化を容易にするシステムおよび方法が説明される。様々な態様によれば、様々なトラフィック・サービス、ユーザの能力、チャネル特性に対応するように、最適な伝送方式の選択を可能にするシステムおよび／または方法が説明される。
2009527931.tif 000002
【特許請求の範囲】
【請求項１】
アクセス端末の性能に関する情報を受信することと、
前記アクセス端末への局所型および分散型伝送を前記性能の関数として多重化することと、
を備える無線通信の方法。
【請求項２】
前記多重化することは、ダウンリンク・チャネル状態の推定の関数である請求項１に記載の方法。
【請求項３】
前記多重化することは、加入者データの関数である請求項１に記載の方法。
【請求項４】
前記多重化することは、高速ユーザ対低速ユーザの割合の関数である請求項１に記載の方法。
【請求項５】
前記多重化することは、加入者データの関数である請求項１に記載の方法。
【請求項６】
局所型サブバンド内のサブキャリア内で必要に応じて分散割り当てを行う請求項１に記載の方法。
【請求項７】
前記多重化方式は、スケジューリングされたユーザにそれぞれのサブキャリア割り当てを通知することによって、最適な周波数ダイバーシティを容易にする請求項６に記載の方法。
【請求項８】
分散割り当てユーザに割り当てられたリソースの部分について、前記スケジューリングされたユーザにシグナリングすることをさらに備える請求項７に記載の方法。
【請求項９】
周波数帯域を構成する局所型サブバンドの数は、存在している分散割り当ての数に関わらず、一定のままである請求項７に記載の方法。
【請求項１０】
前記多重化することは、リソースの分散割り当てが増えるにつれて、サブキャリアの数を減らすことに基づく請求項１に記載の方法。
【請求項１１】
前記多重化することは、周波数帯域全体において、局所型サブバンドの数を減らすことに基づく請求項１に記載の方法。
【請求項１２】
リソースの分散割り当てが増えるにつれて、局所型サブバンドの数が減少し、その一方で、局所型サブバンド内でのサブキャリアの数は保たれ、ある範囲内に留まる請求項１１に記載の方法。
【請求項１３】
前記局所型サブバンドの境界および分散されたサブキャリア間の間隔についての情報をスケジューリングされたユーザに伝えることをさらに備える請求項１１に記載の方法。
【請求項１４】
特定のリソース割り当ては、各スケジューリングされたユーザに対応する制御チャネルでシグナリングされ、サブバンドの識別、分散ユーザの開始点および間隔、または局所ユーザ用の開始点およびトーン数を含む請求項１３に記載の方法。
【請求項１５】
スケジューリングされたユーザが関連する制御チャネルの解釈についての知識をもつように、各スケジュールされたユーザに前記伝送が局所型であるのか、分散型であるのか、または局所型伝送および分散型伝送の両方の多重化された信号であるのかを通知するためにサブバンドＩＤのタイプを割り当てることをさらに備えた請求項１４に記載の方法。
【請求項１６】
周波数帯域は局所型サブバンドに分割され、パンクチャードされた分散割り当ての間隔は各局所型サブバンドに対して指定される請求項１に記載の方法。
【請求項１７】
アップリンクの品質のフィードバックが必要とされるサブバンドの数を減らすために、１つ以上の局所型サブバンドが分散される請求項１６に記載の方法。
【請求項１８】
特定のリソースの割り当ては、それぞれのスケジューリングされたユーザの制御チャネルでシグナリングされる請求項１７に記載の方法。
【請求項１９】
分散割り当ては、前記局所型サブバンドで均一に分散されない請求項１８に記載の方法。
【請求項２０】
前記多重化することは、すべて分散された１つ以上の局所型サブバンドを含み、一方で、周囲の局所型サブバンドリソースの分散的なパンクチャリングのある局所型、リソースの分散的なパンクチャリングのない局所型のうち１つである請求項１９に記載の方法。
【請求項２１】
前記多重化することは、局所型サブバンドの周波数範囲を一定に保つために提供する請求項２０に記載の方法。
【請求項２２】
分散割り当てが重要なとき、アップリンク間のチャネル品質オーバーヘッドの低減の達成を容易にするために局所型サブバンドの数が減らされる請求項１に記載の方法。
【請求項２３】
帯域幅オーバーヘッドの低減が電力の低減より望まれる場合、チャネル品質フィードバックの粒度を改善するために、別の３ビットを使用することができる請求項２２に記載の方法。
【請求項２４】
情報を記憶するメモリと、
命令を実行するプロセッサと、
アクセス端末の性能に関する情報を受信し、前記アクセス端末への局所型伝送および分散型伝送を前記性能の関数として多重化する最適化コンポーネントと、
を備える装置。
【請求項２５】
前記最適化コンポーネントは、ダウンリンク・チャネル状態の推定の関数として前記多重化を行う請求項２４に記載の装置。
【請求項２６】
前記最適化コンポーネントは、加入者データの関数として前記多重化を行う請求項２４に記載の装置。
【請求項２７】
前記最適化コンポーネントは、高速ユーザ対低速ユーザの割合の関数として前記多重化を行う請求項２４に記載の装置。
【請求項２８】
前記最適化コンポーネントは、周波数帯域全体における局所型サブバンドの数を減らす関数として前記多重化を行う請求項２４に記載の装置。
【請求項２９】
コンピュータ可読媒体であって、以下の動作：
アクセス端末の性能に関する情報を受信することと、
前記アクセス端末への局所型および分散型伝送を前記性能の関数として多重化することと、
を行うコンピュータ実行可能命令を記憶するコンピュータ可読媒体。
【請求項３０】
ダウンリンク・チャネル状態の推定の関数として多重化を行う命令を記憶する、請求項２９に記載のコンピュータ可読媒体。
【請求項３１】
加入者データの関数として多重化を行う命令を記憶する請求項２９に記載のコンピュータ可読媒体。
【請求項３２】
高速ユーザ対低速ユーザの割合の関数として多重化を行う命令を記憶する、請求項２９に記載のコンピュータ可読媒体。
【請求項３３】
加入者データの関数として多重化を行う命令を記憶する請求項２９に記載のコンピュータ可読媒体。
【請求項３４】
分散割り当てユーザに割り当てられたリソースの部分について、スケジューリングされたユーザにシグナリングする命令を記憶する請求項２９に記載のコンピュータ可読媒体。
【請求項３５】
リソースの分散割り当てが増えるにつれて、サブキャリアの数を減らす関数して多重化を行う命令を記憶する請求項２９に記載のコンピュータ可読媒体。
【請求項３６】
周波数帯域全体において、局所型サブバンドの数を減らすことに基づいて多重化を行う命令を記憶する請求項２９に記載のコンピュータ可読媒体。
【請求項３７】
前記局所型サブバンドの境界および分散されたサブキャリア間の間隔についての情報をスケジューリングされたユーザに伝える命令を記憶する請求項２９に記載のコンピュータ可読媒体。
【請求項３８】
スケジュールされたユーザが関連する制御チャネルの判断についての知識をもつように、各スケジューリングされたユーザに前記伝送が局所型であるのか、分散型であるのか、または局所型伝送および分散型伝送の両方の多重化された信号であるのかを通知するためにサブバンドＩＤのタイプを割り当てる命令を記憶する請求項３７に記載のコンピュータ可読媒体。
【請求項３９】
プロセッサであって、以上の動作：
アクセス端末の性能に関する情報を受信することと、
前記アクセス端末への局所型および分散型伝送を前記性能の関数として多重化すること、
を行うコンピュータ実行可能な命令を記憶するプロセッサ。
【請求項４０】
ダウンリンク・チャネル状態の推定の関数として多重化を行う命令を記憶する請求項３９に記載のプロセッサ。
【請求項４１】
加入者データの関数として多重化を行う命令を記憶する請求項３９に記載のプロセッサ。
【請求項４２】
高速ユーザ対低速ユーザの割合の関するとして多重化を行う命令を記憶する請求項３９に記載のプロセッサ。
【請求項４３】
加入者データの関数として多重化を行う命令を記憶する請求項３９に記載のプロセッサ。
【請求項４４】
分散割り当てユーザに割り当てられたリソースの部分について、スケジューリングされたユーザにシグナリングする命令を記憶する請求項３９に記載のプロセッサ。
【請求項４５】
リソースの分散割り当てが増加するにつれて、サブキャリアの数を減少させる関数として多重化を行う命令を記憶する請求項３９に記載のプロセッサ。
【請求項４６】
周波数帯域全体において局所型サブバンドの数を減らすことに基づいて多重化を行う命令を記憶する請求項３９に記載のプロセッサ。
【請求項４７】
前記局所型サブバンドの境界および分散されたサブキャリア間の間隔についての情報をスケジューリングされたユーザに伝える命令を記憶する請求項３９に記載のプロセッサ。
【請求項４８】
スケジュールされたユーザが関連する制御チャネルの解釈についての知識をもつように、各スケジューリングされたユーザに前記伝送が局所型であるのか、分散型であるのかまたは局所型伝送および分散型伝送の両方の多重化された信号であるのかを通知するためにサブバンドＩＤのタイプを割り当てる命令を記憶する請求項４７に記載のプロセッサ。
【請求項４９】
アクセス端末の性能に関する情報を受信する手段と、
前記アクセス端末への局所型および分散型伝送を前記性能の関数として多重化する手段と、
を備える装置。
【発明の詳細な説明】
【技術分野】
【０００１】
関連出願の相互参照
本特許出願は、２００６年１月１３日に出願され、「局所型および分散型割り当ての多重化および制御（LOCALIZED AND DISTRIBUTED ALLOCATION MULTIPLEXING AND CONTROL）」と題する米国仮特許出願第６０／７５９，１４９号の利益を主張するものである。この出願の内容全体を参照によってここに援用する。
【０００２】
本願明細書は、全般的には無線通信に関し、特に局所型（localized）および分散型（distributed）割り当てのフレキシブルな多重化を支持することが可能な多重化の方式に関する。
【背景技術】
【０００３】
無線通信システムは、普及している手段であり、世界中の多くの人々がこの手段を使用して通信をするようになってきている。無線通信デバイスは、消費者のニーズを満たし、携帯性および利便性を向上させるため、さらに小型で高性能になっている。携帯電話のような移動デバイスの処理能力が向上したことで、無線ネットワーク伝送システムに対する需要が増してきている。
【０００４】
典型的な無線通信ネットワーク（例えば、周波数分割技術、時分割技術および符号分割技術を使用する）には、カバレッジ・エリアを提供する１つ以上の基地局およびカバレッジ・エリア内でデータの送受信ができる１つ以上の移動（例えば、無線）端末が含まれる。典型的な基地局は、ブロードキャスト、マルチキャストおよび／またはユニキャスト・サービス用の多数のデータ・ストリームを同時に送信することができる。ここでのデータ・ストリームは、移動端末にとって独立した重要な受信となり得るデータの流れである。基地局のカバレッジ・エリア内の移動端末は、複合ストリームによって搬送される１つ、２つ以上またはすべてのデータ・ストリームの受信に関与することができる。同様にして、移動端末は、基地局または他の移動端末にデータを伝送することができる。
【０００５】
ダウンリンクの伝送では、局所型（例えば、ブロック単位（block-wise））伝送、または分散型（例えば、散乱する）伝送を使用することができる。局所型伝送は、周波数の選択的なスケジューリングができるので有利である。他方、分散型伝送は、周波数ダイバーシティを使用するので、高速のユーザにとって便利である。使用されている伝送のタイプを最適化しつつも、ダウンリンク伝送中に伝送されるビット数を低減できることが望まれている。
【発明の開示】
【発明の概要】
【０００６】
以下は、１つ以上の態様を基本的に理解できるように、これらの態様の簡略化した概要を示すものである。本概要は、すべての考慮された態様の広範な概要ではなく、すべての態様の主要なまたは重要な要素を特定したり、態様の任意のまたはすべての範囲を詳細に説明したりするものでもない。ここでの目的は、後述のさらに詳細な説明の前置きとして簡略化した形式での１つ以上の態様の概念を単にいくつか示すものである。
【０００７】
１つの態様によれば、通信の方法は、アクセス端末の性能に関する情報を受信することと、アクセス端末への局所型および分散型伝送を性能の関数として多重化することと、を備える。
【０００８】
別の態様によれば、装置は、情報を記憶するメモリと、命令を実行するプロセッサと、アクセス端末の性能に関する情報を受信し、アクセス端末への局所型伝送および分散型伝送を性能の関数として多重化する最適化コンポーネントと、を備える。
【０００９】
別の態様によれば、コンピュータ可読媒体は、以下の動作：アクセス端末の性能に関する情報を受信することと、アクセス端末への局所型および分散型伝送を性能の関数として多重化することと、を行うコンピュータ実行可能な命令を記憶する。
【００１０】
別の態様によれば、プロセッサは、以下の動作：アクセス端末の性能に関する情報を受信することと、アクセス端末への局所型および分散型伝送を性能の関数として多重化することと、を行うコンピュータ実行可能命令を記憶する。
【００１１】
さらに別の態様によれば、システムは、アクセス端末の性能に関する情報を受信する手段と、アクセス端末への局所型および分散型伝送を性能に応じて多重化する手段と、を備える。
【００１２】
前述および関連する目的を達成するため、１つ以上の態様は、以下に十分に説明される特徴、特に特許請求の範囲で指摘される特徴を備えている。以下の説明および添付の図面は、１つ以上の態様の特定の実例となる態様を詳しく述べている。しかしながら、これらの態様は、種々の態様の原理を使用できる種々の方法のうちの数例を示しているに過ぎず、記載された態様はすべてのこのような態様および同等の態様を含むものとする。
【詳細な説明】
【００１３】
様々な実施形態を図面を参照しながら説明するが、全体を通して同じ参照符号は同じ要素を示すために使用されている。以下の記載において、１つ以上の実施形態を完全に理解するために、説明の目的として具体的な内容が多く開示されている。しかし、このような実施形態をこれらの特定の詳細なしに実施することもできることは明らかであろう。別の例では、１つ以上の実施形態の説明を容易とするために、周知の構造およびデバイスがブロック図の形式で示されている。
【００１４】
本出願で使用されているような、「コンポーネント」、「モジュール」、「システム」等の用語は、ハードウェア、ファームウェア、ハードウェアおよびソフトウェアの組み合わせ、ソフトウェアまたは実行中のソフトウェアのいずれかのコンピュータ関連のエンティティを示すものとする。例えば、コンポーネントは、プロセッサ上で実行するプロセス、プロセッサ、オブジェクト、実行ファイル、実行のスレッド、プログラムおよび／またはコンピュータであればよいが、これに限定されない。例として、コンピューティング・デバイス上で動作するアプリケーションおよびコンピューティング・デバイスのどちらもコンポーネントとすることができる。１つ以上のコンポーネントがプロセスおよび／または実行のスレッド内に存在でき、コンポーネントは１台のコンピュータ上に配置されかつ／または２台以上のコンピュータ間に分散されてもよい。さらに、これらのコンポーネントは、様々なデータ構造が記憶された様々なコンピュータ可読媒体に基づいて実行できる。コンポーネントは、１つ以上のデータパケット（例えば、ローカルシステム、分散システムにおいて、および／または信号によって他のシステムと繋がるインターネットのようなネットワークにおいて別のコンポーネントと交信する１つのコンポーネントからのデータ）を有する信号に従うなどして、ローカルおよび／または遠隔のプロセスを経由して通信してもよい。
【００１５】
さらに、移動デバイスに関しての様々な実施形態をここで説明する。移動デバイスは、システム、加入者ユニット、加入者局、移動局、移動体、遠隔局、遠隔端末、アクセス端末、ユーザ端末、端末、無線通信デバイス、ユーザ・エージェント、ユーザ・デバイス、またはユーザ機器（User Equipment：ＵＥ）と呼ぶこともできる。移動デバイスは、携帯電話、コードレス電話、セッション開始プロトコル（Session Initiation Protocol：ＳＩＰ）電話、ワイヤレス・ローカル・ループ（Wireless Local Loop：ＷＬＬ）局、パーソナル・デジタル・アシスタント（Personal Digital Assistant：ＰＤＡ）、無線接続機能を有するハンドヘルド・デバイス、コンピューティング・デバイス、または無線モデムに接続された他の処理デバイスであればよい。さらに、ここで、基地局に関しての様々な実施形態を説明する。基地局は、移動デバイスとの通信に使用されればよく、アクセス・ポイント、ノードＢまたは他の用語で称されてもよい。
【００１６】
さらに、ここに記載の様々な態様または機能は、標準的なプログラミングおよび／またはエンジニアリング技術を用いた方法、装置、製品として実現できる。ここで使用される「製品」という用語は、任意のコンピュータ可読デバイス、キャリア、または媒体からアクセス可能なコンピュータ・プログラムを含めるものとする。例えば、コンピュータ可読媒体には、磁気記憶デバイス（例えば、ハードディスク、フロッピー（登録商標）ディスク、磁気ストリップ等）、光学ディスク（例えば、コンパクト・ディスク（ＣＤ）、デジタル多用途ディスク（ＤＶＤ）等）、スマートカードおよびフラッシュ・メモリ・デバイス（例えば、ＥＰＲＯＭ、カード、スティック、キードライブ等）を含めることができるが、これに限定されない。さらに、ここに記載の様々な記憶媒体は、１つ以上のデバイス、および／または情報を記憶するための他のマシン可読媒体を表すこともできる。「マシン可読媒体」という語は、無線チャネル、および（１つのまたは複数の）命令および／またはデータを記憶、包含、保持できる他の様々な媒体を含めることができるが、これに限定されない。
【００１７】
ここで、図１を参照すると、ここの様々な実施形態に係る無線通信環境における最適なダウンリンク伝送を実現するシステム１００が示されている。基地局１０２は、１つ以上の移動デバイス１０４と通信するように構成されている。基地局１０２は、局所型および分散型伝送の多重化を可能にする最適化コンポーネント１０６と、例えば基地局の性能に関する情報を受信する受信コンポーネント１０８とを備える。最適化コンポーネント１０６は、以下で述べるような様々な方式によって、周波数ダイバーシティが達成され、伝送に関連するオーバーヘッド損失が緩和されるようなダウンリンク伝送を可能にする。当然ではあるが、局所型および分散型伝送の多重化は、様々なトラフィック・サービス、ユーザの能力に対応でき、さらに１つ以上の移動デバイス１０４のユーザがチャネル特性を活用できるようにする。さらに、例えば、１つ以上の移動デバイス１０６は、基地局１０２にある最適化コンポーネント１０６に、移動デバイスの性能に関する情報、ダウンリンク・チャネル状態の推定、および加入者データを提供することができる。基地局１０２は、高速ユーザ対低速ユーザの割合を判断し、加入者データおよび移動デバイスの性能に関する情報を記憶できることも分かるだろう。このような基地局１０２の性能は、さらに最適化コンポーネント１０８を周囲の状態に従って、最適な多重化方式を選択できるようにする。
【００１８】
ここで図２を参照すると、局所型伝送および分散型伝送の多重化により、ダウンリンク伝送を最適化する方式が示されている。２０２では、３つの固定の局所型サブバンドに分けられた周波数帯域が示されている。当然ではあるが、上記の例は、本来例として示すものであり、ここに記載の様々な実施形態および／または方法でつくることができる局所型サブバンドの数を制限するものではない。２０４では、先に述べた３つの局所型サブバンドでサブキャリアの分散割り当てをしたものが示されている。特に、分散割り当ては、局所型サブバンド２０４内のサブキャリア２０８の中で、必要に応じて行われる。
【００１９】
図２をさらに参照すると、示された多重化方式は、分散割り当てユーザに割り当てられたリソースの部分について、すべてのスケジューリングされたユーザにシグナリングすることに加え、全てのスケジューリングされたユーザに自身のサブキャリア割り当てについて通知することによって、最適な周波数ダイバーシティを提供する。図２に示された実施形態において、存在している分散割り当ての数に関わらず、周波数帯域を構成する局所型サブバンドの数は一定のままである。
【００２０】
ここで図３を参照すると、多重化方式３００が示されている。例として、局所型サブバンド内のリソースを分散割り当てする前の３つの局所型サブバンド３０２が示されている。この実施形態において、多重化は、リソースの分散割り当てが増えるにつれて、サブキャリア３０６の数を減らすのではなく、全体の周波数帯域における局所型サブバンド３０４の数を減らすことによって実現される。このようにすれば、アップリンクすることに関するオーバーヘッド損失は、局所型サブバンド３０４の低減との相関関係において緩和される。当然ながら、リソースの分散割り当てが増えれば、局所型サブバンド３０４の数は減る一方で、局所型サブバンド内でのサブキャリア３０６の数は保たれるか、ある範囲内に留まる。さらに当然ではあるが、分散割り当てによって、局所型サブバンド３０４のパンクチャリング（puncturing）が増えると、各局所型サブバンドに占領される周波数帯域の幅を広くすることができる。したがって、局所型サブバンド３０４の周波数の選択性が減るであろう。
【００２１】
さらに図３を参照すると、局所型サブバンド３０４の境界、および分散サブキャリア間の間隔についての情報は、すべてのスケジューリングされたユーザに伝えられなければならない。特定のリソース割り当ては、各スケジューリングされたユーザの制御チャネルでシグナリングされ、サブバンド識別、分散ユーザ用の開始点および間隔、または局所ユーザ用の開始点およびトーン数を含むべきである。当然ながら、各スケジューリングされたユーザは、割り当てられるサブバンドＩＤのタイプによって、伝送が局所型となるか、分散型となるか、または局所型伝送および分散型伝送の両方の多重化された信号となるかを知ることになる。したがって、スケジューリングされたユーザは、関連する制御チャネルを解釈する知識を持つことになる。
【００２２】
図４を参照すると、無線通信環境内の多重化方式４００が示されている。周波数帯域４０２は、局所型サブバンド４０４に分割される。この実施形態では、パンクチャード処理された分散割り当て４０８の間隔は、各局所型サブバンド４０６に特定化される。結果として、サブキャリアは、局所型サブバンド４０６内で不均一にパンクチャード処理できる。そのうえ、１つ以上の局所型サブバンド４０６は分散型になることができ、アップリンクの品質のフィードバックが必要なサブバンド４０６の数が減る。さらに、図３に関して前述したように、特定のリソース割り当ては、各スケジューリングされたユーザの制御チャネルでシグナリングされる。当然ながら、分散割り当ては、局所型サブバンド４０６に均一には分散されない。例えば、多重化方式４００は、周囲の局所型サブバンドがリソースの分散されたパンクチャリングを用いて局所化されている一方で、すべて分散された１つの局所型サブバンドを含むことができる。多重化方式４００が、一定を保つために、局所型サブバンド４０６の周波数範囲を提供する一方で、局所型サブバンド４０６内のサブキャリアの数は、分散割り当てのパンクチャリングの結果、減るであろう。
【００２３】
図３および図４にそれぞれ示されているような多重化方式３００および４００に関して、分散割り当てが重要であるとき、局所型サブバンドの数を減らすことができ、よってアップリンクの間のチャネル品質オーバーヘッドの削減を実現できる。例として、４つの局所型サブバンドがあり、サブバンドのチャネル品質用の指定ビットの数が８ビットならば、サブバンドのチャネル品質用の指定ビットの数が８ビットの場合、そして局所型サブバンドの数が２つに減らされた場合、１つはチャネル品質を示すために５ビットのみを必要とすることになる（例えば、ＭＣＳインデックス）。一方、電力の低減ではなく、帯域幅オーバーヘッドの削減が望まれる場合、別に３ビットを使用して、チャネル品質フィードバックの粒度を改善できる。
【００２４】
図５から図７を参照すると、局所型伝送および分散型伝送の多重化に関する方法が示されている。説明を簡単にするために、これらの方法は一連の行為として示され説明されているが、特許請求の範囲の請求項の内容において、別の順序および／またはここで説明されるものとは別の行為と同時に発生し得るため、これらの方法は行為の順序に限定されないことは理解および認識すべきである。例えば、状態図のように一連の相互関係のある状態または状況として別の方法として示されてもよいことは当業者であれば理解および認識できるであろう。さらに、特許請求の範囲の内容に係る方法を実施するために図示されたすべての行為を実施する必要があるわけではない。
【００２５】
特に図５を参照すると、無線通信システムにおいて多重化されるダウンリンク伝送を容易にする方法５００が示されている。この方法は、５０２において開始し、５０４において局所型伝送および分散型伝送の多重化伝送が望まれるかどうか判断される。このような判断は、例えばトラフィック・サービス、ユーザの能力、およびチャネル特性に基づいて行われる。多重化が望まれない場合、方法は５０６に移る。５０６において、局所型伝送および分散型伝送のうち１つがダウンリンク伝送に使用される。多重化伝送が望まれる場合、方法は５０８に移り、周波数帯域は固定数の局所型サブバンドに分割される。５１０において、各局所型サブバンド内でリソースの分散割り当てが可能になる。５１２において各スケジューリングされたユーザは、自身のリソース割り当てについて通知され、５１４においてスケジューラー・ユーザは、分散ユーザに割り当てられた局所型サブバンドの部分を示す信号を受信する。
【００２６】
ここで図６を参照すると、無線通信システムにおいて多重化されるダウンリンク伝送を容易にする例としての方法５００が示されている。この方法は、６０２において開始し、６０４において局所型伝送および分散型伝送の多重化伝送が望まれるかどうか判断される。このような判断は、例えばトラフィック・サービス、ユーザの能力、およびチャネル特性に基づいて行うことができる。多重化が望まれない場合、方法は６０６に進む。６０６において、局所型伝送および分散型伝送のうち１つがダウンリンク伝送に使用される。多重化伝送が望まれる場合、周波数帯域は固定数の局所型サブバンドに分割される方法６０８に進む。６１０において、各局所型サブバンド内で一定のサブキャリアの分散割り当てが維持される。６１２において、局所型サブバンド内の分散されたリソースのパンクチャリングが増えると、サブバンド品質レポーティング用のアップリンク・オーバーヘッドを減少させることができる。このようなアップリンク・オーバーヘッドの低減は、分散されたリソースのパンクチャリングの結果、対応する局所型サブバンドの数の低減によって生じる。６１４において、各スケジューリングされたユーザが自身のリソース割り当てについて通知され、６１６においてスケジューラー・ユーザは、分散ユーザに割り当てられた局所型サブバンドの部分を示す信号を受信する。
【００２７】
ここで図７を参照すると、無線通信システムにおいて多重化されるダウンリンク伝送を容易にする方法７００が示されている。この方法は、７０２において開始し、７０４において局所型伝送および分散型伝送の多重化伝送が望まれるかどうか判断される。このような判断は、例えばトラフィック・サービス、ユーザの能力、およびチャネル特性に基づいて行うことができる。多重化が望まれない場合、方法は７０６に進む。７０６において、局所型伝送および分散型伝送のうち１つがダウンリンク伝送に使用される。多重化伝送が望まれる場合、周波数帯域は固定数の局所型サブバンドに分割される方法７０８に進む。７１０において、各局所型サブバンド内で不均一なパンクチャード処理された分散割り当て用の間隔が指定される。７１２において、多くの局所型サブバンドを分散リソースに変換することによって、周波数帯域における局所型サブバンドの数が減らされる。結果として、アップリンクでのチャネル品質のオーバーヘッド削減が達成される。７１４において各スケジューリングされたユーザが自身のリソース割り当てについて通知され、７１６においてスケジューリングされたユーザは、分散ユーザに割り当てられた局所型サブバンドの部分を示す信号を受信する。
【００２８】
ここで図８を参照すると、ここに記載の様々な実施形態に係る無線通信システム８００が示されている。システム８００は、１つ以上のセクタ内に、１つ以上の基地局８０２（例えば、アクセス・ポイント）を備えることができる。この基地局８０２は、互いにかつ／または１つ以上の移動デバイス８０４に対して、無線通信信号を受信、送信、中継したりする。各基地局８０２は、送信器チェーンおよび受信器チェーンを備えることができる。当業者であれば分かるように、これらのそれぞれは同様に信号の送受信に関連する複数のコンポーネント（例えば、プロセッサ、変調器、多重化装置、復調器、多重分離装置、アンテナなど）を備えることができる。移動デバイス８０４は、例えば、携帯電話、スマート・フォン、ノート型パソコン、ハンドヘルド通信デバイス、ハンドヘルド・コンピューティング・デバイス、衛星ラジオ、全地球測位システム、ＰＤＡ、および／または無線通信システム８００で通信することに適している他のデバイスとすることができる。
【００２９】
基地局８０２は、順方向リンク・オンリー（Forward Link Only：ＦＬＯ）テクノロジを使用することによって、移動デバイス８０４にコンテンツをブロードキャストできる。例えば、リアルタイムのオーディオおよび／またはビデオ信号のほか、非リアルタイムのサービス（例えば、音楽、天気、ニュースの概要、交通情報、金融情報など）もブロードキャストされてもよい。１つの例によれば、コンテンツは基地局１０２から移動デバイス８０４にブロードキャストされてもよい。移動デバイス８０４は、（例えば、ビジュアル出力、オーディオ出力などを使用することによって）このようなコンテンツを受信し、出力してもよい。さらに、ＦＬＯテクノロジは、直交周波数分割多元接続（Orthogonal Frequency Division Multiplexing：ＯＦＤＭ）を使用してもよい。ＯＦＤＭのような周波数分割に基づく技術は、一般的に周波数スペクトルを別個のチャネルに分割する。例えば、周波数スペクトルは、均等な帯域幅に分けられてもよい。ＯＦＤＭは、システム全体の帯域幅を複数の直交周波数チャネルに効果的に分割する。さらに、ＯＦＤＭシステムは、時分割多重化および／または周波数分割多重化を使用して、複数の基地局８０２に対する複数のデータ伝送の中で直交性を実現してもよい。
【００３０】
ＦＬＯシステムでは、移動デバイス８０４は、基地局８０２によって提供されたデータを確実に正しく受信していることが望ましい。これを達成するため、以下にさらに詳しく説明するように、ＦＬＯテスト・アプリケーション・プロトコル（FLO Test Application Protocol：ＦＴＡＰ）を使用して、システム８００の物理層を検証できる。言い換えると、ＦＴＡＰを使用して、移動デバイス８０４が基地局８０２からのデータを正しく受信していることを確認できる。ＦＴＡＰは、ネットワークおよび移動デバイス８０４の両方によって実行されているとき、デバイスに対する最小のパフォーマンス・テストとして使用できる一組の手順を規定する。これを達成するために、ネットワーク内でＦＴＡＰフロー（一連のＦＴＡＰパケット）を設定し、アクティブ化して、特定のデバイスの振る舞いをテストできる。１つの例によると、各ＦＴＰパケットは、テスト・シーケンス番号、テスト署名、およびテスト・データ・パターンなどの情報を搬送できる。シーケンス番号は、３２ビットカウンタから導き出される３２ビットの整数とすることができる。このカウンタは、任意の適切な値に初期化できる。ただし、このシーケンス番号は、任意の適切な数のビットとすることができ、カウンタは任意の適切な数のビットのカウンタとすることができることが知られている。テスト署名は、ｐ（ｘ）＝ｘ１５＋ｘ＋１のような特定の多項式、および１５状態のシンプル・シフト・レジスタ・ジェネレータ（Simple Shift Register Generator：ＳＳＲＧ）の使用によって生成されるビットのサーキュラーバッファから導き出される、８ビットの疑似ランダム整数とすることができる。ただし、多項式およびシンプル・シフト・レジスタ・ジェネレータは異なってもよく、ＳＳＲＧおよび多項式からの適切な変化形は、本願明細書に添付した特許請求の範囲内に考慮され、含まれているものとされることが分かる。
【００３１】
ＦＴＡＰと一致するデータの検証は、移動デバイス８０４で行うことができる。例えば、周知のアルゴリズムを使用してテスト・データが作成される場合、移動デバイス１０４は、ほぼ同様のアルゴリズムを実行して受信されたデータが正しいかどうかを検証できる。移動デバイスで行われる検証は、かなり単純であり、リアルタイムのレポーティングを可能にする（例えば、移動デバイス８０４は１ｘリンクまたは他の何らかの適切なリンクでのエラーをレポートできる）。この検証を可能にするには、移動デバイス１０４は、ＦＴＡＰフローの状態を知っていなければならない。さらに、デバイス１０４は、カバレッジの消失または損失のほかラップアラウンドも把握しなければならない。
【００３２】
ここで図９を参照すると、最適なダウンリンク伝送を容易にするシステム９００が示されている。システム９００は、アクセス端末の性能に関する情報を受信するモジュール９０２を含むことができる。特に、例えば、システム９００は、様々なトラフィック・サービス、ユーザの能力に対応でき、そのうえ、１つ以上の移動デバイスのユーザがチャネル特性を活用することを可能にする。システム９００は、アクセス端末への局所型および分散型伝送を端末の性能の関数として多重化するモジュール９０４も含むことができる。モジュール９０４は、所定の時間の端末の性能に応じて、多重化の最適な方式を選択できる。
【００３３】
図１０は、本願明細書に記載の１つ以上の態様に係る無線通信環境において他のセクタ通信を提供する端末またはユーザ・デバイス１０００を示す図である。端末１０００は、信号を受信し、受信した信号に対し一般的な動作（例えば、フィルタリング、増幅、ダウンコンバートなど）を実行する受信機１００２、例えば、１つ以上の受信アンテナを備え、サンプルを得るために調整された信号をデジタル化する。復調器１００４は、サンプルを復調し、受信されたパイロット・シンボルをプロセッサ１００６に提供することが可能である。
【００３４】
プロセッサ１００６は、受信器コンポーネント１００２によって受信された情報を分析し、および／または送信器コンポーネント１０１４によって送信する情報を生成する専用のプロセッサとすることができる。プロセッサ１００６は、１つ以上の端末１０００のコンポーネントを制御するプロセッサ、および／または受信器１００２によって受信された情報の分析し、送信器１０１４によって送信する情報を作成し、１つ以上の端末１０００のコンポーネントを制御するプロセッサとすることができる。プロセッサ１００６は、図５から図７に関して記載された方法を含む本願明細書に記載の任意の方法を使用することができる。
【００３５】
さらに、端末１０００は、正常な送信の肯定応答を含む受信された入力を分析する伝送制御コンポーネント１００８を含むことが可能である。肯定応答（ＡＣＫ）は、サービング・セクタおよび／または隣接のセクタから受信できる。肯定応答は、前の伝送が正常に受信されたか示すことができ、アクセス・ポイントの１つによって復号することができる。肯定応答が受信されない場合、または否定応答（ＮＡＣＫ）が受信される場合、伝送を再送できる。伝送制御コンポーネント１００８は、プロセッサ１００６に組み込むことができる。当然ながら、伝送制御コンポーネント１００８は、肯定応答の受信の判断に関連して分析を実行する伝送制御コードを含むことができる。
【００３６】
端末１０００は、さらにプロセッサ１００６と動作可能に接続されたメモリ１０１０を備えることができる。このメモリは、伝送に関連する情報、セクタのアクティブ・セット、伝送を制御する方法、関連する情報を備えるルックアップ・テーブル、および本願明細書に記載の伝送およびアクティブ・セット・セクタに関連する他の適切な情報を含むことができる。当然ではあるが、本願明細書に記載のデータ記憶（例えば、メモリ）コンポーネントは、揮発性メモリまたは不揮発性メモリのいずれかであってもよく、揮発性メモリおよび不揮発性メモリの両方を含んでもよい。例であり、これに制限されないが、不揮発性メモリには、読出し専用メモリ（ＲＯＭ）、書き込み可能ＲＯＭ（Programmable ROM：ＰＲＯＭ）、電気的書き込み可能ＲＯＭ（Electrically Programmable ROM：ＥＰＲＯＭ）、電気的消去可能書き込み可能ＲＯＭ（Electrically Erasable ROM：ＥＥＰＲＯＭ）、またはフラッシュメモリを含めることができる。揮発性メモリには、外部キャッシュメモリとして動作するランダムアクセスメモリ（ＲＡＭ）を含めることができる。例であり、これに制限されないが、ＲＡＭは、同期ＲＡＭ（Synchronous RAM：ＳＲＡＭ）、ダイナミックＲＡＭ（Dynamic RAM：ＤＲＡＭ）、同期ＤＲＡＭ（Synchronous DRAM：ＳＤＲＡＭ）、ダブルデータレートＳＤＲＡＭ（Double Data Rate SDRAM：ＤＤＲ  ＳＤＲＡＭ）、拡張ＳＤＲＡＭ（Enhanced SDRAM：ＥＳＤＲＡＭ）、シンクリンクＤＲＡＭ（Synchlink DRAM：ＳＬＤＲＡＭ）、およびダイレクトＲａｍｂｕｓ  ＲＡＭ  （Direct Rambus RAM：ＤＲＲＡＭ）のような様々な形式で利用可能である。対象となるシステムおよび方法のメモリ１０１０は、これらおよび他の適切なタイプのメモリを備えるものとするが、これらに限定されない。プロセッサ１００６は、シンボル変調器１０１２、および変調された信号を送信する送信器１０１４に接続される。
【００３７】
図１１は、様々な態様に係る通信環境における他のセクタ通信を容易にするシステム１１００を示す図である。システム１１００は、１つ以上の端末１１０４から１つ以上の受信アンテナ１１０６を介して信号を受信し、１つ以上の端末１１０４へ複数の送信アンテナ１１０８を介して送信する受信器１１１０を有するアクセス・ポイント１１０２を備える。端末１１０４は、アクセス・ポイント１１０２によってサポートされるそれらの端末のほか隣接のセクタによってサポートされる端末１１０４も含むことができる。１つ以上の態様では、受信アンテナ１１０６および送信アンテナ１１０８は、単一のセットのアンテナを使用して実行することができる。受信器１１１０は、受信アンテナ１１０６から情報を受信でき、受信した情報を復調する復調器１１１２と連動して動作する。受信器１１１０は、当業者であれば分かるように、例えば、レイク受信器（例えば、複数のベースバンド相関器等を使用してマルチパスの信号のコンポーネントを個別に処理する技術）、ＭＭＳＥベース受信器、または割り当てられた端末を分けるための他の適切な受信器とすることができる。様々な態様によると、多数の受信器を使用することができ（例えば、受信アンテナにつき１つ）、このような受信器は、互いに通信してユーザ・データの改善された推定を提供することできる。復調されたシンボルは、図１０に関して上記で説明したプロセッサと同様であって、端末、端末に関連して割り当てられるリソース、およびその類に関連する情報を記憶するメモリ１１１６に接続されるプロセッサ１１１４によって分析される。各アンテナ用の受信器出力は、受信器１１１０および／またはプロセッサ１１１４によって共同で処理することができる。変調器１１１８は、送信器１１２０による送信アンテナ１１０８を介し、端末１１０４への伝送の信号を多重化できる。
【００３８】
アクセス・ポイント１１０２は、さらにプロセッサ１１１４とは別のプロセッサまたはプロセッサ１１１４と一体化されたプロセッサとすることが可能な端末通信コンポーネント１１２２を備える。端末通信コンポーネント１１２２は、隣接のセクタによってサポートされる端末用のリソース割り当て情報を得ることができる。そのうえ、端末通信コンポーネント１１２２は、アクセス・ポイント１１０２によってサポートされる端末の隣接のセクタへ割り当て情報を提供することができる。割り当て情報は、バックホール（backhaul）シグナリングを介して提供することができる。
【００３９】
割り当てられたリソースに関する情報に基づいて、端末通信コンポーネント１１２２は、隣接のセクタによってサポートされる端末からの伝送の検出のほか受信された伝送の復号も指令することができる。メモリ１１１６は、パケットの復号に必要な割り当て情報の受信の前に、端末から受信されるパケットを維持できる。端末通信コンポーネント１１２２は、伝送の正常な受信および復号を示す肯定応答の送受信を制御することもできる。当然ながら、端末通信コンポーネント１１２２は、リソースの割り当て、ソフトハンドオフ用の端末の識別、伝送の復号およびその類に関連するユーティリティに基づく制御を実行する伝送分析コードを含むことができる。端末分析コードは、端末のパフォーマンスの最適化に関連する推論の実行および／または確率的な決定および／または統計的な決定に関連する人工知能ベースに基づいた方法を利用することができる。
【００４０】
図１２は、無線通信システム１２００の例を示している。無線通信システム１０００では、簡略化のため１つの端末と２つのアクセス・ポイントが示されている。しかし、当然ではあるが、システムには、１つ以上のアクセス・ポイントおよび／または１つ以上の端末を含めることができ、追加されるアクセス・ポイントおよび／または端末は、以下に記載の例としてのアクセス・ポイントおよび端末とほぼ同様のものとすること可能であり、別のものとすることも可能である。さらに、当然ではあるが、このアクセス・ポイントおよび／または端末は、本願明細書に記載のシステム（図１から図４および図８から図１１）および／または方法（図５から図７）を使用することができる。
【００４１】
図１２は、多元接続マルチキャリア通信システム１２００における端末１２０４、端末１２０４をサポートするサービング・アクセス・ポイント１２０２Ｘポイント、隣接アクセス・ポイント１２０２Ｙのブロック図を示している。アクセス・ポイント１２０２Ｘにおいて、送信（ＴＸ）データ・プロセッサ１２１４は、データ・ソース１２１２からトラフィック・データ（すなわち、情報ビット）を受信し、コントローラ１２２０およびスケジューラ１２３０からシグナリングおよび他の情報を受信する。例えば、スケジューラ１２３０は、端末用のキャリアの割り当てを提供してもよい。さらに、メモリ１２２２は、現在の、または以前の割り当てに関する情報を維持できる。ＴＸデータ・プロセッサ１２１４は、マルチキャリア変調（例えば、ＯＦＤＭ）を使用して受信されたデータを符号化および変調し、変調データ（例えば、ＯＦＤＭシンボル）を提供する。続いて、送信器ユニット(ＴＭＴＲ)１２１６は、変調データを処理して、次いでアンテナ１２１８を介して送信されるダウンリンク変調信号を生成する。
【００４２】
端末１２０４への割り当て情報の送信の前に、スケジューラは、アクセス・ポイント１２０２Ｙに割り当て情報を提供することができる。割り当て情報は、迂回中継シグナリング（例えば、Ｔ１ライン）１２１０を介して提供することができる。あるいは、割り当て情報は、端末１２０４への送信の後にアクセス・ポイント１２０２Ｙに提供することができる。
【００４３】
端末１２０４において、送信され、変調された信号は、アンテナ１２５２によって受信され、受信器ユニット（ＲＣＶＲ）１２５４に提供される。受信器ユニット１２５４は、受信された信号を処理してデジタル化し、サンプルを提供する。次いで、受信（ＲＸ）データ・プロセッサ１２５６は、復元されたトラフィック・データ、メッセージ、シグナリングなどを含んでもよい復号データを提供するために、サンプルを復調および復号する。トラフィック・データは、受信データ端末装置１２５８へ提供されればよく、端末１２０４用のキャリア割り当て情報は、コントローラ１２６０に提供される。
【００４４】
コントローラ１２６０は、端末１２０４に割り当てられ、受信されるキャリア割り当ての中で示される、特定のキャリアを使用して、アップリンクでのデータ伝送を指令する。メモリ１２６２は、割り当てられたリソース（例えば、周波数、時間、および／またはコード）に関する情報、および他の関連情報を保持できる。
【００４５】
端末１２０４では、ＴＸデータ・プロセッサ１２７４は、データ・ソース１２７２からのトラフィック・データを受信し、コントローラ１２６０からシグナリングおよび他の情報を受信する。様々なタイプのデータは、割り当てられたキャリアを使用して、ＴＸデータ・プロセッサ１２７４によって符号化および変調される。次いで、様々なタイプのデータは、アンテナ１２５２から送信されるアップリンク変調信号を生成するために、送信器ユニット１２７６によってさらに処理される。
【００４６】
アクセス・ポイント１２０２Ｘおよび１２０２Ｙにおいて、端末１２０４から送信され変調された信号は、アンテナ１２１８によって受信され、受信器ユニット１２３２によって処理され、ＲＸデータ・プロセッサ１２３４によって復調および復号される。送信された信号は、サービング・アクセス・ポイント１２０２Ｘによって生成される割り当て情報に基づいて復号することが可能であり、隣接アクセス・ポイント１２０２Ｙに提供される。さらに、アクセス・ポイント１２０２Ｘおよび１２０２Ｙは、他方のアクセス・ポイント（１２０２Ｘまたは１２０２Ｙ）および／または端末１２０４に提供することができる肯定応答（ＡＣＫ）を生成することができる。復号された信号は、受信データ端末装置１２３６に提供することができる。受信器ユニット１２３２は、各端末に受信された信号の品質（例えば、受信されたＳＮ比（ＳＮＲ））を推定し、この情報をコントローラ１２２０に提供してもよい。ＲＸデータ・プロセッサ１２３４は、復元された各端末用のフィードバック情報をコントローラ１２２０およびスケジューラ１２３０に提供する。
【００４７】
スケジューラ１２３０は、フィードバック情報を使用して、（１）逆方向リンクでのデータ伝送用に端末のセットを選択する、（２）選択された端末にキャリアを割り当てるなど多くの機能を実行する。次いで、スケジューリングされた端末に対するキャリア割り当てが、順方向リンクにてこれらの端末へ伝送される。
【００４８】
ここに記載の技術は、様々な手段によって実行できる。例えば、これらの技術は、ハードウェア、ソフトウェア、またはそれらの組み合わせで実行されてもよい。ハードウェアの実行では、これらの技術のための処理ユニット（例えば、コントローラ１２２０および１２６０、ＴＸプロセッサ１２１４およびＲＸプロセッサ１２３４など）は、１つ以上の特定用途向け集積回路（Application Specific Integrated Circuit：ＡＳＩＣ）、デジタル・シグナル・プロセッサ（Digital Signal Processor：ＤＳＰ）、デジタル・シグナル・プロセッシング・デバイス（Digital Signal Processing Device：ＤＳＰＤ）、プログラマブル・ロジック・デバイス（Programmable Logic Device：ＰＬＤ）、フィールド・プログラマブル・ゲートアレー（Field Programmable Gate Array：ＦＰＧＡ）、プロセッサ、コントローラ、マイクロコントローラ、マイクロプロセッサ、本願明細書に記載の機能を実行するように設計された他の電子ユニット、またはそれらの組み合わせに実行すればよい。
【００４９】
ソフトウェアの実行では、本願明細書に記載の機能を実行するモジュール（例えば、プロシージャ、関数など）とともに本願明細書に記載の技術を実装することができる。ソフトウェア・コードは、メモリ・ユニットに記憶されればよく、プロセッサによって実行されればよい。メモリ・ユニットは、プロセッサ内部またはプロセッサ外部に実行すればよく、外部に実装される場合、当技術分野で周知の様々な手段を介してプロセッサに通信可能に接続できる。
【００５０】
上記の記載事項は、１つ以上の態様の例を含むものである。当然ながら、上記の態様を記載する目的のためにすべての考えられ得るコンポーネントまたは方法の組み合わせを記載することは不可能であるが、このような態様のさらに種々の組み合わせおよび入れ換えが可能であることは、当業者であれば分かることである。したがって、記載された態様は、添付の特許請求の範囲の精神および範囲内に収まるこのようなすべての改変、変更および変形を含むものとする。さらに、詳細な説明または特許請求の範囲のいずれかにおいて使用される用語「含む（includes）」の範囲について、用語「備える（comprising）」が特許請求の範囲において移行語として使用される際に包括的であると解釈されるのと同じく包括的な用語であるものとする。
【図面の簡単な説明】
【００５１】
【図１】無線通信環境において最適なダウンリンク伝送を実現する例としてのシステムを示す図。
【図２】無線通信環境内での例としての伝送方式を示す図。
【図３】無線通信環境内での別の例としての伝送方式を示す図。
【図４】無線通信環境内での別の例としての方式を示す図。
【図５】無線通信環境において多重化されたダウンリンク伝送を容易にする例としての方法を示す図。
【図６】無線通信環境において多重化されたダウンリンク伝送を容易にする、別の例としての方法を示す図。
【図７】無線通信環境において多重化されたダウンリンク伝送を容易にする、別の例としての方法を示す図。
【図８】本願明細書に記載の様々な態様による無線通信システムを示す図。
【図９】移動デバイスの性能による多重化されたダウンリンク伝送を容易にするシステムを示すブロック図。
【図１０】本願明細書に記載の１つ以上の態様による、他のセクタ通信を提供するシステムを示す図。
【図１１】本願明細書に記載の１つ以上の態様による、端末の非サービング・セクタにおいて逆方向リンク通信の処理を提供するシステムを示す図。
【図１２】本願明細書に記載の様々なシステムおよび方法とともに使用できる無線通信環境を示す図。
【図１】
2009527931.tif 000003
【図２】
2009527931.tif 000004
【図３】
2009527931.tif 000005
【図４】
2009527931.tif 000006
【図５】
2009527931.tif 000007
【図６】
2009527931.tif 000008
【図７】
2009527931.tif 000009
【図８】
2009527931.tif 000010
【図９】
2009527931.tif 000011
【図１０】
2009527931.tif 000012
【図１１】
2009527931.tif 000013
【図１２】
2009527931.tif 000014